(57)【要約】【課題】本発明は、補聴器に関するもので、使い勝手を向上することを目的とするものである。【解決手段】本発明の補聴器１は、脳波検出部１４において、センサ１３を介して脳波が検出されるか否かによって補聴器１が耳穴に隙間なく装着されているか否か判定を行い、耳穴に隙間が生じている状態で装着されている場合に補聴器１の補聴処理部１０の増幅度を低下またはこの補聴処理部１０の動作を停止させるようにしている。  したがって、補聴器１が耳穴に装着された状態において、センサ１３を介して脳波が検出されない場合、すなわち、耳穴に隙間が生じているような場合には、補聴器１の補聴処理部１０の増幅度を低下またはこの補聴処理部１０の動作を停止させるのでハウリングが発生することを低減することができる。その結果として極めて使い勝手の良いものとなるのである。【選択図】図２
2014239320.tif 000002
【特許請求の範囲】
【請求項１】
マイクロフォンと、このマイクロフォンから入力された音を増幅する補聴処理部と、
この補聴処理部で増幅した音を出力するイヤフォンと、を備えた補聴器であって、
前記マイクロフォン、前記補聴処理部および前記イヤフォンを有する本体部と、
この本体部の前記マイクロフォン、前記補聴処理部および前記イヤフォンに電源を供給する電源供給部と、
補聴器装着者が前記本体部を装着した場合に人体に接触させられ、脳波を計測するセンサと、
このセンサが接続された脳波検出部と、を備え、
前記脳波検出部は、前記センサを介して脳波が検出されない場合に、前記補聴処理部の増幅度を低下またはこの補聴処理部の動作を停止させる構成とした補聴器。
【請求項２】
前記脳波検出部は、前記本体部が前記補聴器装着者に装着された場合に前記補聴器装着者の耳穴に隙間が生じていないことを判定し、判定結果に応じて前記電源を動作させるものである請求項１に記載の補聴器。
【請求項３】
前記本体部を前記補聴器装着者の耳穴に装着する保持部をさらに備え、この保持部に前記センサを設けたものである請求項１または請求項２に記載の補聴器。
【請求項４】
前記保持部は、外耳道に当接して前記本体部を前記補聴器装着者の耳穴に装着するものである請求項３に記載の補聴器。
【請求項５】
前記センサが、前記補聴器装着者の前記人体に付勢された状態で、弾性を有して接触している請求項１から請求項４のいずれか一項に記載の補聴器。
【請求項６】
前記センサが電極でできている請求項１から請求項５のいずれか一項に記載の補聴器。
【請求項７】
前記電極は少なくとも三個備えられ、それぞれアース電極、基準電極、および計測電極となっている請求項６に記載の補聴器。
【請求項８】
前記計測電極が複数個備えられている請求項７に記載の補聴器。
【請求項９】
第一カーブ対応部または、第一カーブと第二カーブの間に対応する部分に前記電極が配置されている請求項６から請求項８のいずれか一項に記載の補聴器。
【発明の詳細な説明】
【技術分野】
【０００１】
本発明は、利便性を向上させた補聴器に関するものである。
【背景技術】
【０００２】
従来のこの種、補聴器は、例えば補聴器が補聴器装着者の耳に装着されたときに、補聴器装着者の耳に装着されたか否かを判定する手段を備え、この手段によって補聴器装着者の耳に装着されたと判断した場合に補聴器を駆動する電源をＯＮにするようになっている（これに類似する先行文献としては下記特許文献１が存在する）。
【先行技術文献】
【特許文献】
【０００３】
【特許文献１】特許第５０９９４３６号公報
【発明の概要】
【発明が解決しようとする課題】
【０００４】
上記従来例においては、各種センサなどによって補聴器が補聴器装着者の耳に装着されたことを検出して補聴器の電源のＯＮ／ＯＦＦを切替えることができたにもかかわらず、補聴器を快適に使用できないことがある。例えば、補聴器が補聴器装着者の耳穴（外耳道）に隙間なく装着されていない状況で補聴器の電源が入った場合、補聴器のマイクロフォンから入った音が補聴器の内部で増幅されてイヤフォン（スピーカ）から出力される。そして、その音が耳穴の隙間から漏れて、再びマイクロフォンに入力され、補聴器のマイクロフォンとイヤフォンの間で音がループしてハウリングを生じてしまうのである。
【０００５】
つまり、従来の補聴器では、補聴器が補聴器装着者の耳に適切に装着されていない状況であっても補聴器の電源が入ってしまい、その結果としてハウリングを発生させてしまうことがあるのであって、使用状況によっては極めて使い勝手の悪いものとなるのであった。
【０００６】
そこで本発明は、使い勝手を向上することを目的とするものである。
【課題を解決するための手段】
【０００７】
そして、この目的を達成するために本発明は、マイクロフォンと、このマイクロフォンから入力された音を増幅する補聴処理部と、この補聴処理部で増幅した音を出力するイヤフォンと、を備えた補聴器であって、前記マイクロフォン、前記補聴処理部および前記イヤフォンを有する本体部と、この本体部の前記マイクロフォン、前記補聴処理部および前記イヤフォンに電源を供給する電源供給部と、補聴器装着者が前記本体部を装着した場合に人体に接触させられ、脳波を計測するセンサと、このセンサが接続された脳波検出部と、を備え、前記脳波検出部は、前記センサを介して脳波が検出されない場合に、前記補聴処理部の増幅度を低下またはこの補聴処理部の動作を停止させる構成とし、これにより所期の目的を達成するものである。
【発明の効果】
【０００８】
以上のように本発明は、マイクロフォンと、このマイクロフォンから入力された音を増幅する補聴処理部と、この補聴処理部で増幅した音を出力するイヤフォンと、を備えた補聴器であって、前記マイクロフォン、前記補聴処理部および前記イヤフォンを有する本体部と、この本体部の前記マイクロフォン、前記補聴処理部および前記イヤフォンに電源を供給する電源供給部と、補聴器装着者が前記本体部を装着した場合に人体に接触させられ、脳波を計測するセンサと、このセンサが接続された脳波検出部と、を備え、前記脳波検出部は、前記センサを介して脳波が検出されない場合に、前記補聴処理部の増幅度を低下またはこの補聴処理部の動作を停止させる構成としたものであるので極めて使い勝手の良いものとなる。
【０００９】
すなわち、本発明においては、脳波検出部において、センサを介して脳波が検出されるか否かによって補聴器が耳穴に隙間なく装着されているか否か判定を行い、耳穴に隙間が生じている状態で装着されている場合に補聴器の補聴処理部の増幅度を低下またはこの補聴処理部の動作を停止させるようにしている。
【００１０】
したがって、補聴器が耳穴に装着された状態において、センサを介して脳波が検出されない場合、すなわち、耳穴に隙間が生じているような場合には、補聴器の補聴処理部の増幅度を低下またはこの補聴処理部の動作を停止させるのでハウリングが発生することを低減することができる。その結果として極めて使い勝手の良いものとなるのである。
【図面の簡単な説明】
【００１１】
【図１】本発明の一実施形態に係る補聴器の使用状態を説明する図
【図２】同補聴器のブロック図
【図３】同補聴器の動作フローチャート
【図４】同補聴器の動作を説明する図
【発明を実施するための形態】
【００１２】
以下、本発明の一実施形態を、添付図面を用いて詳細に説明する。
【００１３】
（実施の形態１）
図１において、１は補聴器装着者２の耳３に装着される補聴器（音声伝達装置）で、この補聴器１は図１に示すごとく、補聴器装着者２の耳３の入り口近傍に装着される本体ケース４と、この本体ケース４が耳３に装着された状態で耳穴（図示せず）に挿入されるイヤフォン５（スピーカ）と、本体ケース４が耳３に装着された状態で補聴器装着者２とは反対側に向けて配置されたマイクロフォン６とを備えている。ここで、耳穴は例えば外耳道などである。
【００１４】
また、マイクロフォン６は図２に示すごとくＡＤコンバータ７を介して制御部８に接続され、さらにこの制御部８にはＤＡコンバータ９を介して上記イヤフォン５が接続されている。
【００１５】
さらにまた、制御部８には補聴処理部１０が接続され、この補聴処理部１０によって補聴器装着者２の聴力レベルにあわせて利得の増幅レベルを調節している。
【００１６】
補聴処理部１０には補聴器装着者２の補聴データが記憶させられており、マイクロフォン６から入力された音声データを補聴処理部１０において補聴データによって補聴処理を行っている。そして、その補聴処理した音声をイヤフォン５から出力させることで補聴器装着者２にとって最も好ましい補聴環境を与えている。
【００１７】
すなわち、補聴器１のマイクロフォン６から入力された音が補聴器１の内部で増幅され、イヤフォン５から出力されているのである。
【００１８】
なお、図２において１１は各部に電力を供給する電池（電源供給部の一例）で、この電池１１を本体ケース４に装着すれば各部に電力供給が行え、また、この電池１１を本体ケース４から取り外せば、各部への電力供給は断たれることとなる。
【００１９】
この電池１１は、制御部８に接続されおり、制御部８によって電源駆動のＯＮ／ＯＦＦを切替えることによって補聴器１の各部への電力の供給が切替えられ、電源がＯＮになると、例えばイヤフォン５やマイクロフォン６など補聴器１の本体部が駆動させられるのである。
【００２０】
ここで、図１に示すごとく補聴器１は、本体ケース４が耳３に装着された状態で耳穴に挿入される挿入部１２を有している。そして、この挿入部１２は、補聴器１が補聴器装着者２に装着された状態で補聴器装着者２の人体の一部に接触するセンサ１３を備えている。
【００２１】
このセンサ１３は、例えば、補聴器装着者２の脳波を計測するものであって、例えば補聴器装着者２の生体電位を計測している。
【００２２】
この脳波検出における生体電位の計測については、既に公知となった技術であるのでここでは詳細の説明は省略する。
【００２３】
そして、センサ１３によって計測された補聴器装着者２の生体電位の安定度などから、例えば補聴器１が補聴器装着者２の耳３に装着されている状態を、図２に示すごとくセンサ１３に接続された脳波検出部１４によって判定している。
【００２４】
センサ１３は例えば、挿入部１２の表面に露出した電極１３ａ、電極１３ｂおよび電極１３ｃを三箇所に備えている。三種類の電極は、それぞれアース電極、基準電極、計測電極となっている。ここで、計測電極を二箇所以上に配置することによって、補聴器装着者２の脳波をより精度良く計測してもよい。
【００２５】
外耳道の第一カーブから第二カーブの曲がり部分（顔の前方向）はハウリング発生と関係性が高いことが多いため、例えば、耳あな型の補聴器の場合、その部分にセンサ１３を配置することが好ましい。すなわち、第一カーブ対応部または、第一カーブと第二カーブの間に対応する部分に電極１３ａ、電極１３ｂおよび電極１３ｃが配置されていると好ましいのである。
【００２６】
この電極１３ａ、電極１３ｂおよび電極１３ｃは、補聴器１の挿入部１２が補聴器装着者２の耳穴に挿入されたときに、補聴器装着者２の人体の一部に付勢された状態で、例えば、弾性を有して接触するようにしている。
【００２７】
接触の強さは、適宜調整が可能であって、補聴器装着者２が不快に感じず、かつセンサ１３が脳波を所望の精度で計測できる程度とすればよい。
【００２８】
つまり、電極１３ａ、電極１３ｂおよび電極１３ｃが接触する人体の一部の凹凸に柔軟に沿って、確実に人体と接触させ、脳波を正確に計測できるようにしているのである。
【００２９】
具体的には、例えば電極１３ａ、電極１３ｂおよび電極１３ｃを可撓性や弾性などを有する導電性の材料によって形成するなどすればよい。
【００３０】
また、電極１３ａ、電極１３ｂおよび電極１３ｃは挿入部１２に備えられることに限定されるものではない。つまり、補聴器１が補聴器装着者２に装着されたときに、補聴器装着者２の人体の一部に接触できるように備えられていればよいのである。
【００３１】
例えば、本体ケース４が補聴器装着者２の耳３の上部に掛かって装着されるような耳掛け型の補聴器の場合には、本体ケース４が耳３に装着された状態で電極１３ａ、電極１３ｂおよび電極１３ｃが補聴器装着者２の人体の一部に接触するように本体ケース４に電極１３ａ、電極１３ｂおよび電極１３ｃを設けても良いのである。
【００３２】
このようにして、本実施形態における補聴器１はセンサ１３によって、補聴器装着者２の脳波を計測し、この計測した脳波によって補聴器１が補聴器装着者２の耳３に装着されている状態を脳波検出部１４によって判定することができるので、補聴器１が補聴器装着者２の耳３に適切に装着されているか否かを判定できる。
【００３３】
すなわち、脳波検出部１４は、センサ１３を介して脳波が検出されない場合に、補聴器１が補聴器装着者の耳３に適切に装着されていない、つまり、耳穴に隙間が生じていると判定するものである。そして、脳波検出部１４において、センサ１３を介して脳波が検出されるか否かによって補聴器１が耳穴に隙間なく装着されているか否か判定を行い、耳穴に隙間が生じている状態で装着されている場合に補聴器１の補聴処理部１０の増幅度を低下またはこの補聴処理部の動作を停止させるようにしている。
【００３４】
したがって、補聴器１が耳穴に装着された状態において、センサ１３を介して脳波が検出されない場合、すなわち、耳穴に隙間が生じているような場合には、補聴器１の補聴処理部１０の増幅度を低下またはこの補聴処理部１０の動作を停止させるのでハウリングが発生することを低減することができる。その結果として極めて使い勝手の良いものとなるのである。
【００３５】
つまり、補聴器装着者２の耳穴に隙間が生じている状態のようにハウリングが発生しやすい状態である場合には、補聴器１の補聴処理部１０の増幅度を低下またはこの補聴処理部１０の動作を停止させるようにしているのである。
【００３６】
以上の構成において本実施形態では、図１に示す補聴器１を用いて補聴処理を開始する場合、次のような手順を実行することになる。
【００３７】
まずは、補聴器１の本体ケース４を補聴器装着者２の耳３の入り口近傍に装着し、補聴器１の挿入部１２を補聴器装着者２の耳穴に挿入する。
【００３８】
このとき、補聴器１の挿入部１２が備えているセンサ１３に備えられた電極１３ａ、電極１３ｂおよび電極１３ｃを補聴器装着者２の人体の一部に接触させている。
【００３９】
そして、補聴器装着者２は補聴器１の本体ケース４のスイッチ（図示せず）をＯＮに切替える（図３のＳ１）。
【００４０】
本体ケース４のスイッチがＯＮに切替えられると、補聴処理部１０が動作を開始し、補聴器１は補聴処理が実行できる状態となる（図３のＳ２）。
【００４１】
このようにして、補聴器１の補聴処理部１０において行われる補聴処理については広く知られている補聴器と同様であるので説明は省略する。
【００４２】
そして、電極１３ａ、電極１３ｂおよび電極１３ｃが補聴器装着者２の人体の一部に適切に接触している場合は、補聴器１から電極１３ａ、電極１３ｂおよび電極１３ｃが適切に接触したことを知らせるメッセージを補聴器１のイヤフォン５から出力してもよい。このメッセージは、例えば音声で“センサが正しく装着されました”などと出力される。
【００４３】
これに対して、電極１３ａ、電極１３ｂおよび電極１３ｃが補聴器装着者２の人体の一部に適切に接触していない場合は、補聴器１から電極１３ａ、電極１３ｂおよび電極１３ｃが適切に接触していないので装着状態の確認を促すメッセージを補聴器１のイヤフォン５から出力してもよい。このメッセージは、例えば音声で“センサの装着状態を確認してください”などと出力される。
【００４４】
このとき、補聴器１のマイクロフォン６は機能が停止された状態としてもよい。つまり、補聴器装着者２の耳穴に隙間ができた状態でイヤフォン５からメッセージが出力された場合に、そのメッセージがマイクロフォン６から入力し、増幅されてイヤフォン５から再度、出力されるループを形成し、ハウリングが発生してしまうことを防止しているのである。
【００４５】
センサ１３の電極１３ａ、電極１３ｂおよび電極１３ｃが補聴器装着者２の人体の一部に適切に接触した状態となると、センサ１３によって補聴器装着者２の脳波が計測される（図３のＳ３）。
【００４６】
つまり、補聴器装着者２の生体電位が計測されるのである。
【００４７】
計測された生体電位は、補聴器１の脳波検出部１４によって、例えば、その安定度などによって補聴器１の装着状態が判定される（図３のＳ４）。
【００４８】
例えば、補聴器１が補聴器装着者２の耳３に装着された状態において、補聴器装着者２の耳穴に隙間が生じているか否かを判定するのである。
【００４９】
そして、脳波検出部１４によって脳波が検出されず、補聴器装着者２の耳穴に隙間が生じていると判定された場合には、補聴処理部１０の増幅度を低下、またはこの補聴処理部１０の動作を停止させる（図３のＳ５）。
【００５０】
このとき、補聴器１から補聴器装着者２の耳穴に隙間が生じているので装着状態の確認を促すメッセージが補聴器１のイヤフォン５から出力されるようにしても良い。このメッセージは、例えば音声で“イヤフォンの装着状態を確認してください”などと出力される。
【００５１】
このとき、イヤフォン５から出力されるメッセージによってハウリングが発生しないようにマイクロフォン６は停止されていてもよい。
【００５２】
これに対して、脳波検出部１４によって脳波が検出され、補聴器装着者２の耳穴に隙間が生じていないと判定された場合には、図３のＳ２のステップに戻り、補聴処理部１０によって補聴処理が所定の増幅度で継続して行われるのである。
【００５３】
このとき、補聴器装着者２の耳穴に隙間が生じていない適切な状態で補聴器１が装着されたことを補聴器装着者２に知らせるメッセージをイヤフォン５から出力してもよい。例えば音声で“補聴器が正しく装着されました”などと出力される。
【００５４】
図４において、（ａ）は、センサ１３によって計測された脳波の状態を示す図であり、（ｂ）は、それに対応した補聴器１の動作状態を示す図である。
【００５５】
図４（ａ）および図４（ｂ）の区間Ａは、例えば、補聴器１が補聴器装着者２の耳３に適切に装着されていない状態などを示すものであって、生体電位の振幅Ｃが所定の値よりも大きい場合、補聴器１の補聴処理部１０において補聴処理の増幅度を低下、またはこの補聴処理部１０の動作を停止させる。
【００５６】
それに対して区間Ｂは、例えば、補聴器１が補聴器装着者２の耳３に適切に装着された状態であって、生体電位の振幅Ｄが所定の値よりも一定時間、小さい場合、補聴器１の補聴処理部１０によって補聴処理が所定の増幅度で継続して行われるのである。
【００５７】
以上のように本実施形態では、脳波検出部１４において、センサ１３で計測した脳波の状態によって補聴器１が適切に補聴器装着者２の耳穴に装着されているか否か判定を行い、適切に装着されている場合に補聴器１の補聴処理部１０の増幅度を低下、またはこの補聴処理部１０の動作を停止させるようにしている。
【００５８】
すなわち、補聴器１が補聴器装着者２の耳穴に装着された状態において、脳波検出部１４においてセンサ１３を介して脳波が検出されない場合には、補聴器１が適切に補聴器装着者２の耳穴に装着されておらず、耳穴に隙間が生じていると判定する。そして、補聴器１の補聴処理部１０の増幅度を低下、またはこの補聴処理部１０の動作を停止させ、補聴処理が継続されないようにしている。
【００５９】
したがって、マイクロフォン６に入力した音が補聴処理によって増幅されてイヤフォン５から出力され、その音が耳穴の隙間から漏れて再度、マイクロフォン６に入力されるループを形成することによって生じるハウリングを低減することができ、その結果として極めて使い勝手の良いものとなるのである。
【００６０】
また、本実施形態ではセンサ１３として脳波を計測するセンサ１３のみを用いて脳波を計測し、その計測結果に応じて脳波検出部１４によって補聴器１の装着状態を判定したが、これに限定されるものではない。
【００６１】
例えば、他の生体情報を計測する各種センサの計測結果と組み合わせて脳波検出部１４によって補聴器１が適切に補聴器装着者２の耳穴に装着されているか否かを判定してもよい。これにより、さらに補聴器１の装着状態を判定する精度を向上させることができる。
【００６２】
具体的には、例えば耳穴の内部で音圧を測定するセンサをさらに備え、音圧の測定結果を組み合わせて補聴器１の装着状態を判定すればよい。
【００６３】
また、加速度センサ、ジャイロセンサ、近接センサをさらに備え、センサの加速度変化、センサの装着位置での向き、センサの周囲に近接したものがあるかどうかを組み合わせて補聴器１の装着状態を判定してもよい。
【００６４】
さらに、本実施形態では、脳波検出部１４によって判定された結果を、補聴器１が補聴器装着者２の耳穴に装着された状態において、耳穴に隙間が生じているか否かを判定することに利用したが、これに限定されるものではない。
【００６５】
例えば、補聴器１を駆動するか否かを判定することに利用してもよい。その場合は、駆動しない場合には電源をＯＦＦにすることによって切り忘れを防止することができ、補聴器１の電池１１の消耗を抑えることができる。
【００６６】
また、補聴器装着者２が睡眠状態にあるか否かなどを判定することに利用してもよい。その場合は、睡眠状態の時には電源をＯＦＦにすることによって補聴器１の電池１１の消耗を抑えることができるのである。
【産業上の利用可能性】
【００６７】
以上のように本発明の補聴器においては、補聴器が耳穴に装着された状態において、センサを介して脳波が検出されない場合、すなわち、耳穴に隙間が生じているような場合には、補聴器の補聴処理部の増幅度を低下またはこの補聴処理部の動作を停止させるのでハウリングが発生することを低減することができ、その結果として極めて使い勝手の良いものとなる。
【００６８】
したがって、利便性を向上させた補聴器としての活用が大いに期待されるものとなるのである。
【符号の説明】
【００６９】
１  補聴器
２  補聴器装着者
３  耳
４  本体ケース
５  イヤフォン
６  マイクロフォン
７  ＡＤコンバータ
８  制御部
９  ＤＡコンバータ
１０  補聴処理部
１１  電池
１２  挿入部
１３  センサ
１３ａ  電極
１３ｂ  電極
１３ｃ  電極
１４  脳波検出部
【図１】
2014239320.tif 000003
【図２】
2014239320.tif 000004
【図３】
2014239320.tif 000005
【図４】
2014239320.tif 000006